(57)【特許請求の範囲】
【請求項１】
ディジタル音声放送を受信してトランスポートストリームを出力するチューナと、
前記トランスポートストリームからオーディオデータトランスポートストリームを分離するデマルチプレクサと、
前記オーディオデータトランスポートストリームにおけるプレゼンテーションタイムスタンプにて各フレームの出力時刻を判断するとともにフレーム間の差分時刻分の全データのうち一部しか取得できていないと判断したときには不足分の無音データを生成し、前記プレゼンテーションタイムスタンプを省いたオーディオデータトランスポートストリームと前記無音データとを配列したデータ列を記録媒体に記録する記録／再生制御手段と、
前記デマルチプレクサから出力されるオーディオデータトランスポートストリームを受け取るときには、前記プレゼンテーションタイムスタンプに基づいて音声データを提示する一方、前記記録／再生制御手段にて前記記録媒体から再生されたデータ列を受け取るときには、当該データ列を順次に再生して音声データを生成する音声デコーダと、
を備え、
前記記録／再生制御手段は、前記オーディオデータトランスポートストリームにおけるプレゼンテーションタイムスタンプにて各フレームの出力時刻を判断するとともにフレーム間の差分時刻分の全データのうち一部しか取得できていないと判断したときには不足分の無音データを生成し、前記オーディオデータトランスポートストリームとして、前記プレゼンテーションタイムスタンプを省いたオーディオデータトランスポートストリームと前記無音データのみを配列したデータ列を記録媒体に記録する放送受信装置。
【請求項２】
請求項１に記載の放送受信装置において、不連続オーディオデータトランスポートストリームにおける不連続分のデータを正常に作成できたかどうかを判断する手段を備え、前記不連続分のデータを正常に作成できなかったと判断したときには、前記不足分の無音データに前記不連続データ分の無音データを加えることを特徴とする放送受信装置。
【請求項３】
請求項１又は請求項２に記載の放送受信装置において、前記無音データが所定量を超える場合には、無音データを記録しないか又は、記録する無音データの量を削減することを特徴とする放送受信装置。
【発明の詳細な説明】
【技術分野】
【０００１】
この発明は、ディジタル音声放送を受信する放送受信装置に関する。
【背景技術】
【０００２】
ディジタル音声放送では、一本のトランスポートストリーム（ＴＳ）を用いて複数のサービスを提供することが可能である。音声データ及び音声に関するデータ等はＴＳ内にパケッタイズドエレメンタリストリーム（ＰＥＳ）形式で重畳されて伝送される。前記ＰＥＳは、音声を出力するタイミングを規定するプレゼンテーションタイムスタンプ（ＰＴＳ）と音声データ（ＡＡＣデータ）で構成される。前記ＰＴＳにより、音声データの提示タイミングを判断することができる。また、ＡＡＣデータはオーディオデータトランスポートストリーム（ＡＤＴＳ）で構成されており、ＡＤＴＳの再生時間は固定で運用される（サンプリング周波数が２４ｋＨｚの場合、１単位ＡＤＴＳの再生時間は２１．３ｍｓである）。サンプリング周波数に関する情報はＡＡＣデータに含まれているため、ＡＡＣデータだけで音声の再生が可能である（特許文献１参照）。
【特許文献１】特開２００６−５０３８７号公報
【発明の開示】
【発明が解決しようとする課題】
【０００３】
ところで、ディジタル音声放送を録音（記録）する場合、ＴＳをそのまま記録する方法と、聴いている音声サービス（ＡＡＣデータ）だけを記録する方法とが考えられる。ＴＳをそのまま記録する方法では、必要としないサービスまでも記録することになるので、メモリを無駄に消費することになる。そして、現在聴いている音声サービスのみ記録する場合でも、より一層のデータ量削減が望まれるが、特に移動体受信機では受信品質が安定しないため、正常な音声放送再生ができないことも考えられる。
【０００４】
この発明は、上記事情に鑑み、所望の音声サービスのみ記録するとともにプレゼンテーションタイムスタンプ（ＰＴＳ）は記録しないことでより一層のデータ量削減を図り、且つ、前記ＰＴＳを記録しないことで生じる再生不具合を解消することができる放送受信装置を提供することを目的とする。
【課題を解決するための手段】
【０００５】
この発明の放送受信装置は、上記の課題を解決するために、ディジタル音声放送を受信してトランスポートストリームを出力するチューナと、前記トランスポートストリームからオーディオデータトランスポートストリームを分離するデマルチプレクサと、前記オーディオデータトランスポートストリームにおけるプレゼンテーションタイムスタンプにて各フレームの出力時刻を判断するとともにフレーム間の差分時刻分の全データのうち一部しか取得できていないと判断したときには不足分の無音データを生成し、前記プレゼンテーションタイムスタンプを省いたオーディオデータトランスポートストリームと前記無音データとを配列したデータ列を記録媒体に記録する記録／再生制御手段と、前記デマルチプレクサから出力されるオーディオデータトランスポートストリームを受け取るときには、前記プレゼンテーションタイムスタンプに基づいて音声データを提示する一方、前記記録／再生制御手段にて前記記録媒体から再生されたデータ列を受け取るときには、当該データ列を順次に再生して音声データを生成する音声デコーダと、を備えたことを特徴とする。
【０００６】
上記の構成であれば、前記プレゼンテーションタイムスタンプを省いたオーディオデータトランスポートストリームを記録するので、所望の音声サービスのみ記録するとともにプレゼンテーションタイムスタンプ（ＰＴＳ）は記録しないことでより一層のデータ量削減を図ることができ、且つ、フレーム間の差分時刻分の全データのうち一部しか取得できていないと判断したときには不足分の無音データを生成して記録するので、前記ＰＴＳを記録しないことで生じる再生不具合も解消することができる。
【０００７】
上記構成の放送受信装置において、不連続オーディオデータトランスポートストリームにおける不連続分のデータを正常に作成できたかどうかを判断する手段を備え、前記不連続分のデータを正常に作成できなかったと判断したときには、前記不足分の無音データに前記不連続データ分の無音データを加えることとしてもよい。
【０００８】
また、これら構成の放送受信装置において、前記無音データが所定量を超える場合には、無音データを記録しないか又は、記録する無音データの量を削減することとしてもよい。
【発明の効果】
【０００９】
この発明によれば、所望の音声サービスのみ記録するとともにプレゼンテーションタイムスタンプ（ＰＴＳ）は記録しないことでより一層のデータ量削減を図り、且つ、前記ＰＴＳを記録しないことで生じる再生不具合を解消することができるという効果を奏する。
【発明を実施するための最良の形態】
【００１０】
以下、この発明の実施形態の放送受信装置を図１乃至図４に基づいて説明する。
【００１１】
図１はこの発明の実施形態の可搬型として構成された放送受信装置１０を示したブロック図である。地上波用のアンテナ２１は、受信した信号を地上波ディジタルチューナ２２に与える。地上波ディジタルチューナ２２は、音声データを含む高周波ディジタル変調信号のうちから特定周波数の信号を取り出す。また、地上波ディジタルチューナ２２は、復調回路、逆インタリーブ回路、誤り訂正回路などを備え、選択したディジタル変調信号を復調してトランスポート・ストリームを出力し、このトランスポート・ストリームをデマルチプレクサ（ＤＥＭＵＸ）２３に与える。
【００１２】
デマルチプレクサ（ＤＥＭＵＸ）２３は、前記トランスポートストリームをオーディオデータトランスポートストリーム（ＡＤＴＳ）及び付属情報などに分離する。デマルチプレクサ３は、オーディオストリームをＡＡＣデコーダ２６に供給し、付属情報をＣＰＵ１に供給する。
【００１３】
操作キー部２には、電源ＯＮ／ＯＦＦキー、チャンネル選択キー、音量調整キー等が設けられる。なお、放送受信装置１０がディジタルラジオ機能付き携帯電話として構成される場合、主として電話に関するキーが配置され、ラジオはメニュー画面上で選択する構成となったり、数字キーを電話番号入力やチャンネル選択に共用する構成となったり、十字キー（方向キー）を機能選択キーやチャンネルアップダウンキーとして共用する構成となったりする場合がある。
【００１４】
メモリ（ＲＡＭ、ＲＯＭ、フラッシュメモリなど）３には、各種の動作プログラム、付属情報、各種設定情報などが格納される。
【００１５】
ＡＡＣデコーダ２６は、ＡＤＴＳを復号して音声データを生成する。先述したごとく、サンプリング周波数に関する情報はＡＡＣデータに含まれているため、ＡＡＣデータだけで音声を再生することが可能である。また、ＡＡＣデータのヘッダには、音声を出力するタイミングを規定するプレゼンテーションタイムスタンプ（ＰＴＳ）が存在しており、前記ＰＴＳにより、音声データの提示タイミングを判断することができる。音声データはＤ／Ａ変換部２８によってアナログの音声信号に変換され、この音声信号はスピーカ２９或いはヘッドホンなどに供給される。
【００１６】
記録／再生制御部２４は、受信したサービスの記録再生を記録媒体（半導体メモリ、小型ハードディスク等）２５に対して行う。記録／再生制御部２４の動作の詳細は後述する。放送受信装置１０は電源回路５を介してバッテリ４により駆動される。
【００１７】
［記録時］
記録／再生制御部２４は、受信放送の記録時、順次に、取得したＰＴＳと次に取得したＰＴＳとからデータ欠落期間を判断していく。例えば、或る時点で取得したＰＴＳ（ｎ）によって示される時刻Ｔ（ｎ）が”Ａ”であり、次に取得したＰＴＳ（ｎ＋１）によって示される時刻Ｔ（ｎ＋１）が”Ａ＋２１３ｍｓ”であったとすると、両ＰＴＳ間に存在すべき１単位ＡＤＴＳ（再生時間は２１．３ｍｓとする）の個数（Ｘ）は、１０個である。すなわち、Ｘ＝｛Ｔ（ｎ＋１）−Ｔ（ｎ）｝／２１．３ｍｓとなる。そして、両ＰＴＳ間に実際に存在している（受信できている）１単位ＡＤＴＳの個数（Ｘ１）が６個であったなら、欠落データ数（Ｙ）は、４個となる。すなわち、Ｙ＝Ｘ−Ｘ１となる。
【００１８】
記録／再生制御部２４は、図２に示すように、欠落データ数（Ｙ）と同数の無音データ（再生時間は２１．３ｍｓとする）を生成する。無音データは、それがデコードされてＤ／Ａ変換されても音出力がゼロレベルとなるデータである。記録／再生制御部２４は、前記ＰＴＳを省いたＡＤＴＳと前記個数の無音データとを配列したデータ列を記録媒体２５に記録する。
【００１９】
図３に記録／再生制御部２４における記録時の処理内容を示す。まず、初期処理を行う（ステップＳ１）。初期処理の内容は、ネクストフラグのクリア処理、カウンタのクリア処理、ＰＴＳのクリア処理である。前記カウンタのカウント数は先述した両ＰＴＳ間に実際に存在している１単位ＡＤＴＳの個数（Ｘ１）となる。次に、記録するデータが音声データかどうか（ペイロードかどうか）を判断する（ステップＳ２）。音声データでなければ、ヘッダかどうかを判断する（ステップＳ３）。ヘッダであるならば、１単位ＡＤＴＳが完成したかどうかを判断する（ステップＳ４）。１単位ＡＤＴＳが完成したならば、ネクストフラグのクリア処理を行い、カウンタを１インクリメントし、音声データを記録媒体２５に記録する（ステップＳ５）。
【００２０】
前記ステップＳ４で１単位ＡＤＴＳが完成していないと判断したときには、前記音声データを保持し、ネクストフラグをＯＮにする（ステップＳ６）。また、前記ステップＳ３でヘッダでないと判断したときには、ネクストフラグがＯＮかどうかを判断し、ネクストフラグがＯＮであるときには、ステップＳ４に進む。一方、ネクストフラグがＯＮでないときには、１単位ＡＤＴＳが完成することはないので、音声データを破棄する（ステップＳ８）。
【００２１】
前記ステップＳ２で音声データでないと判断されたときには、ＰＴＳかどうかを判断し（ステップＳ９）、ＰＴＳであると判断したときには、前ＰＴＳが存在するかどうかを判断する（ステップＳ１０）。前ＰＴＳが存在しない場合にはステップＳ１３に進んで現在のＰＴＳを保存する。前ＰＴＳが存在する場合には、挿入すべき無音データの数を算出する（ステップＳ１１）。そして、この数の無音データを記録媒体２５に記録し、前記ＰＴＳ（現在のＰＴＳ）を保存し、カウンタをクリアする（ステップＳ１３）。以上の処理をＡＡＣデータが終了するまで繰り返す。
【００２２】
［再生］
記録／再生制御部２４は、再生時、順次に記録媒体２５から読み出したデータ列をＡＡＣデコーダ２６に供給する。
【００２３】
ＡＡＣデコーダ２６は、前記デマルチプレクサ２３から出力されるＡＤＴＳを受け取るときには、前記ＰＴＳに基づいて音声データを提示する。その一方、前記記録／再生制御部２４にて前記記録媒体２５から再生されたデータ列（１単位ＡＤＴＳ及び無音データからなるデータ列）を受け取るときには、当該データ列を順次に再生して音声データを生成する。なお、ディジタル音声放送を聴いているときに、電波受信障害が生じたときには、無音状態が生じ、これを記録していた場合の再生においては、放送を聴いていたときと同様に、無音状態が生じることになる。
【００２４】
図４は、不連続ＡＤＴＳを処理する場合の説明図である。不連続ＰＥＳ運用の場合においては、ＰＴＳ値は不連続ＰＥＳを出力する時間を示すため、不連続ＡＤＴＳが正常に作成できなかった場合には、不連続ＡＤＴＳ分（図４に示す例であれば、ＡＤＴＳ5-1 とＡＤＴＳ5-2 分）の無音データを挿入する必要がある。無音データの個数は、欠落データ数に１を加算した値、すなわち、Ｙ＝Ｘ−Ｘ１＋１となる。
【００２５】
上記の例では、受信障害等によって、前ＰＴＳ値と現在ＰＴＳ値との差が例えば、６０秒を超えることも考えられ、このような場合、多くの無音データを挿入してしまうことになる。そこで、前ＰＴＳ値と現在ＰＴＳ値との差が所定値（例えば、６０秒）を超える場合には、当該所定値よりも少ない再生秒数となるように無音データ数を削減し（例えば、０秒〜数秒程度とする）、この削減された無音データ（０個の場合も含む）を記録することとしてもよい。この場合の再生においては、いわゆる音飛びが生じたように聴こえることになる。
【図面の簡単な説明】
【００２６】
【図１】この発明の実施形態の放送受信装置を示したブロック図である。
【図２】この発明の実施形態の連続ＡＤＴＳを処理する場合の説明図である。
【図３】この発明の実施形態の処理内容を示したフローチャートである。
【図４】この発明の実施形態の不連続ＡＤＴＳを処理する場合の説明図である。
【符号の説明】
【００２７】
１      ＣＰＵ
２      操作キー
３      メモリ
１０    放送受信装置
２４    記録／再生制御部
２５    記録媒体
２６    ＡＡＣデコーダ
【図１】
0004762019.tif 000002
【図２】
0004762019.tif 000003
【図３】
0004762019.tif 000004
【図４】
0004762019.tif 000005